(57)【要約】【課題】  安価な構成で仕向地を設定でき、なおかつ、市場に出荷された画像形成装置が故障し、仕向地設定手段を含む基板などの部品を交換する場合に、仕向地設定をし忘れることを防止した画像形成装置の提供。【解決手段】  画像形成装置の設置場所である仕向地を設定する仕向地設定手段と、前記仕向地設定手段で設定された仕向地に対応した制御パラメータを設定する制御パラメータ設定手段とを備えた画像形成装置であって、前記仕向地設定手段で仕向地に仕向なしと設定すると共に、前記制御パラメータ設定手段により制御パラメータを設定せずに画像形成装置を使用禁止にすることを特徴とする。この設定は、デフォルトにより、あるいは、仕向地設定手段として、ディップスイッチまたは揮発メモリを使用。【選択図】  図１
2005173337.tif 000002
【特許請求の範囲】
【請求項１】
画像形成装置の設置場所である仕向地を設定する仕向地設定手段と、前記仕向地設定手段で設定された仕向地に対応した制御パラメータを設定する制御パラメータ設定手段とを備えた画像形成装置であって、
前記仕向地設定手段で仕向地に仕向なしと設定すると共に、前記制御パラメータ設定手段により制御パラメータを設定せずに画像形成装置を使用禁止にすることを特徴とする画像形成装置。
【請求項２】
請求項１において、仕向地設定手段のデフォルトにより前記仕向なしと設定することを特徴とする画像形成装置。
【請求項３】
請求項１または請求項２において、前記仕向地設定手段は、ディップスイッチまたは揮発メモリであることを特徴とする画像形成装置。
【発明の詳細な説明】
【技術分野】
【０００１】
本発明は、仕向の設定可能な画像形成装置に関する。
【背景技術】
【０００２】
従来から、たとえば特許文献１に示すように、画像形成装置の制御部にディップスイッチ等の選択スイッチを外付けし、この選択スイッチを切り換えることにより仕向地指定できるような画像形成装置が知られている。そして、この画像形成装置を、仕向地に出荷する際に、オートクリアや節電モード等の複写モードの再設定を不要にして、作業の簡略化を行うことが知られている。
【０００３】
また、特許文献２には、仕向地別の操作パネルの種類を減少させ、製造コストを削減することが可能な画像形成装置を提供するような発明が知られている。この文献には、電源別仕向地設定と操作モード別仕向地設定を独立して設定出来るようにし、電源別仕向地設定を電源に設け、操作モード別仕向地設定を操作パネルに設けるようにされている。
【０００４】
さらに、特許文献３には、複数の仕向地を有する画像形成装置に対して、容易かつ確実に仕向地を設定することが可能な仕向地設定装置を提供する。電源の電圧または周波数の少なくともどちらか一方を検出し、仕向地を判定する発明も知られている。
このような仕向地設定を簡略化する方法が、特許文献１の特開昭６２−２３０６５号公報、特許文献２の特開平９−５０２０９号公報および特許文献３の特開２００１−２１５８４８号公報に開示されている。特許文献１に記載された技術は、画像形成装置の制御部にディップスイッチ等の選択スイッチを外付けし、この選択スイッチを切り換えることにより仕向地を指定することが出来るようになっている。そして、画像形成装置を仕向地へ出荷する際に、オートクリアや節電モード等の複写モードの再設定を不要にして、作業の簡略化を行うことができるとしている。
【０００５】
また、特許文献２に開示された技術は、電源別仕向地設定と操作モード別仕向地設定を独立して設定出来るようにし、電源別仕向地設定を電源に設け、操作モード別仕向地設定を操作パネルに設ける。そして、仕向地別の操作パネルの種類を減少させることができるとしている。
また、特許文献３に開示された技術は、電源の電圧または周波数の少なくともどちらか一方を検出し、仕向地を判定する。そして、複数の仕向地を有する画像形成装置に対して、容易かつ確実に仕向地を設定することができるとしている。
【特許文献１】特開昭６２−２３０６５号公報
【特許文献２】特開平９−５０２０９号公報
【特許文献３】特開２００１−２１５８４８号公報
【発明の開示】
【発明が解決しようとする課題】
【０００６】
本発明は、従来より、複写機やプリンタ等の画像形成装置では、出荷時に画像形成装置が設置される地域（以下、仕向地と称する）の電源仕様、変倍仕様、用紙サイズ仕様、言語等の相違に基づいて、ハードウェアおよびソフトウェアを、それぞれの仕向地に合わせた設定とする必要がある。
【０００７】
ところで、市場に出荷された画像形成装置が故障し、基板などの部品を交換する場合がある。特許文献１、特許文献２に開示された技術では、交換する部品に仕向地設定手段が含まれている場合、部品交換するサービスエンジニアが仕向地の設定をし忘れた場合、ユーザの使用環境と異なる仕向になってしまい、不適切なパラメータで制御されてしまう。例えば、電源電圧が異なる仕向地になっている場合は、定着制御のパラメータが誤っていると定着温度が正しく制御できず、定着不良や高温異常などが発生する可能性がある。
また、特許文献３に開示された技術では、交換する部品に仕向地設定手段が含まれている場合、上記のような不具合は発生しないが、電源電圧や周波数を検出する手段が必要になり、コストが高くなってしまう。
そこで、本発明では、電源電圧や周波数を検出する手段を用いず仕向地設定を行い、安価な構成で仕向地を設定でき、なおかつ、市場に出荷された画像形成装置が故障し、仕向地設定手段を含む基板などの部品を交換する場合に、仕向地設定をし忘れることを防止することを目的とする。
【課題を解決するための手段】
【０００８】
請求項１記載の発明は、画像形成装置の設置場所である仕向地を設定する仕向地設定手段と、前記仕向地設定手段で設定された仕向地に対応した制御パラメータを設定する制御パラメータ設定手段とを備えた画像形成装置であって、前記仕向地設定手段で仕向地に仕向なしと設定すると共に、前記制御パラメータ設定手段により制御パラメータを設定せずに画像形成装置を使用禁止にすることを特徴とする。
【０００９】
請求項２記載の発明は、請求項１において、仕向地設定手段のデフォルトにより前記仕向なしと設定することを特徴とする。
【００１０】
請求項３記載の発明は、請求項１または請求項２において、前記仕向地設定手段は、ディップスイッチまたは不揮発メモリであることを特徴とする。
【発明の効果】
【００１１】
請求項１記載の発明では、仕向地を設定する仕向地設定手段と、上記仕向地設定手段で設定された仕向地に対応した制御パラメータを設定する制御パラメータ設定手段とを備えた画像形成装置において、上記仕向地設定手段で設定できる仕向地に「仕向なし」が設定可能であり、「仕向なし」が設定されたとき、上記制御パラメータ設定手段は制御パラメータを設定せずに画像形成装置を使用禁止にすることにより、市場にて仕向地設定手段を含む基板などの部品を交換する場合、仕向を設定し忘れた場合、画像形成装置が使用禁止になるので、サービスエンジニアが、仕向を設定し忘れたことにすぐ気がつくことが可能になる。
【００１２】
請求項２では、前記請求項１の発明で、仕向地設定のデフォルトが「仕向地なし」になっていないと、交換する部品の仕向地設定に「仕向地なし」になっていない場合があるのを、本発明では、請求項１の画像形成装置において、仕向地設定手段のデフォルトを「仕向なし」にすることにより、より確実に仕向地設定忘れを防止することができる。
【００１３】
請求項３は、請求項１、請求項２の画像形成装置において、仕向地設定手段をディップスイッチにすることにより、通電しなくても仕向地設定を確認できるか、または、仕向地設定手段が不揮発メモリにすることにより、容易に仕向地を変更されないようにすることができ、不揮発メモリでその他のパラメータの記憶も行う場合は、安価で仕向地設定を行うことができる。
【発明を実施するための最良の形態】
【００１４】
本発明を、実施例により、その構成・動作を図を用いて以下に説明する。  
図１〜９は、本発明の画像形成装置の概略図、操作部の概略図、及びブロック図である。
図１に本発明の画像形成装置を示す。  自動原稿送り装置（以後ＡＤＦという）１にある、原稿台２に、画像面をたとえば上にして置かれた原稿束は、操作部３０上のプリントキー３４が押下されると、たとえば一番下の原稿から、給送ローラ３、給送ベルト４によってコンタクトガラス６上の所定の位置に給送される。
【００１５】
この例では、一枚の原稿を給送完了により、原稿枚数をカウントアップするカウント機能を有している。給送された原稿は、読み取りユニット５０によってコンタクトガラス６上の原稿の画像データの読み取り後に、読み取りが終了した原稿は、給送ベルト４及び排送ローラ５によって排出される。さらに、原稿セット検知部７により、原稿台２に次の原稿が有ることを検知した場合、前の原稿と同様にコンタクトガラス６上に給送される。給送ローラ３、給送ベルト４、排送ローラ５は、搬送モータ２６によって駆動される。
【００１６】
第１トレイ８、第２トレイ９、第３トレイ１０に積載された転写紙は、各々、第１給紙装置１１、第２給紙装置１２および第３給紙装置１３によって給紙され、縦搬送ユニット１４によって感光体１５に当接する位置まで搬送される。読み取りユニット５０により読み込まれた画像データは、書き込みユニット５７からの書き込み手段（たとえばレーザ光など）によって感光体１５に書き込まれ、現像ユニット２７を通過することによってトナー像が形成される。そして、転写紙は感光体１５の回転と等速に搬送ベルト１６によって搬送されながら、感光体１５上のトナー像が転写される。その後、定着ユニット１７により画像が定着され、排紙ユニット１８によって、後処理装置のフィニシャ１００に排出される。  後処理装置のフィニシャ１００は、本体の排紙ローラ１９によって搬送された転写紙を、通常排紙ローラ１０２方向と、ステープル処理部方向へ導く事ができる。切り替え板１０１をたとえば上に切り替える事により、搬送ローラ１０３を経由して、通常は、排紙トレイ１０４側に排紙する事ができる。また、切り替え板１０１をたとえば下方向に切り替える事で、搬送ローラ１０５、１０７を経由して、ステープル台１０８に搬送する事ができる。
【００１７】
ステープル台１０８に積載された転写紙は、一枚排紙されるごとに紙揃え用のジョガー１０９によって紙の端面が揃えられ、一部のコピー完了と共に、ステープラ１０６によって、たとえば端部が綴じられるようになっている。ステープラ１０６で綴じられた転写紙群は、自重によって、ステープル完了排紙トレイ１１０に収納される。
【００１８】
一方、通常の排紙トレイ１０４は、前後に移動可能な排紙トレイである。前後に移動可能な排紙トレイ部１０４は、原稿毎、あるいは、画像メモリによって、ソーティングされたコピー部毎に前後に移動し、簡易的に排出されてくるコピー紙を仕分けるものである。
転写紙の両面に画像を作像する場合には、各給紙トレイ８〜１０から給紙され、作像された転写紙を排紙トレイ１０４側に導かずに、経路切り替えの為の分岐爪１１２を上側にセットする事で、一旦両面給紙ユニット１１１にストックする。
【００１９】
その後、両面給紙ユニット１１１にストックされた転写紙は、再び感光体１５に作像されたトナー画像を転写するために、両面給紙ユニット１１１から再給紙され、経路切り替えの為の分岐爪１１２を下側にセットされ、排紙トレイ１０４に導かれる。この様に、両面給紙ユニット１１１は、転写紙の両面に画像を作成する場合に使用される。
感光体１５、搬送ベルト１６、定着ユニット１７、排紙ユニット１８、現像ユニット２７は、メインモータ２５によって駆動され、各給紙装置１１〜１３は、メインモータ２５の駆動を各々給紙クラッチ２２〜２４によって伝達駆動される。縦搬送ユニット１４は、メインモータ２５の駆動を中間クラッチ２１によって伝達駆動される。
【００２０】
図２は、操作部３０を示した図である。
操作部３０には、液晶タッチパネル３１、テンキー３２、クリア／ストップキー３３、スタートキー３４、予熱キー３５、リセットキー３６、初期設定キー３７、コピーキー３８、コピーサーバーキー３９およびスキャナーキー８７があり、液晶タッチパネル３１には、機能キー、部数、及び画像形成装置の状態を示すメッセージなどが表示される。
【００２１】
初期設定キー３７を押すと、機械の初期状態を任意にカスタマイズする事が可能である。機械が収納している用紙サイズを設定したり、コピー機能のモードクリアキーを押したときに、設定される状態を任意に設定可能である。また、一定時間操作が無いときに、優先して選択されるアプリケーション等も選択したり、国際エネルギースター計画に従った低電力への移行時間の設定や、オートオフ／スリープモードへの移行する時間を設定する事も可能である。
予熱キー３５を押すと、機械は待機状態から電力低減状態に移行し、定着温度を低下させたり、操作部の表示を消灯することができる。
【００２２】
予熱状態は、国際エネルギースター計画で言う、低電力状態を意味している。また、予熱状態、オフ状態／スリープ状態を解除し、待機状態に移行させるには、この予熱キーを再度押下する。
また、コピーキー３８の押下により、コピー機能の使用が可能である。
【００２３】
コピーサーバキー３９は、既存の蓄積画像データの編集（コピーモード設定、印刷、削除など）を行なうときに使用するキーである。
図３は、操作部３０の液晶タッチパネル３１の表示一例を示した図である。この例は、コピーキー３８を押下した時に表示されることを示す。
オペレータが液晶タッチパネル３１に表示されたキーにタッチする事で、選択された機能を示すキーが黒く反転する。また、機能の詳細を指定しなければならない場合（例えばスタンプ印字）は、キーにタッチする事で、詳細機能の設定画面が表示される。
このように、液晶タッチパネルは、ドット表示器を使用している為、その時の最適な表示をグラフィカルに行う事が可能である。
【００２４】
図４は、メインコントローラを中心にした、制御装置を図示したものである。メインコントローラ２０は、画像形成装置全体を制御する。メインコントローラ２０には、オペレータに対する表示を行ったり、オペレータからの機能設定入力制御を行う操作部３０、スキャナの制御を行ったり、原稿画像を画像メモリに書き込む制御を行ったり、また、画像メモリからの作像を行う制御等を行う画像処理ユニット（ＩＰＵ）４９、原稿自動送り装置（ＡＤＦ）１、定着制御ユニット２８等の分散制御装置が接続されている。各分散制御装置とメインコントローラ２０とは、必要に応じて、機械の状態や動作司令のやりとりを行っている。また紙搬送等に必要なメインモータ２５と、各種クラッチ２１〜２４も接続されている。
【００２５】
仕向切換スイッチ２９は、請求項３に該当するもので、単数または複数のディップスイッチの組み合わせで仕向を切り換えるものである。本発明で使用されるディップスイッチは、どのようなものでも良く、たとえばロータリーディップスイッチでも良い。また使用するスイッチの個数は、単数または複数でも良いが、以下に示すように、本実施例では、I とIIの２つのディップスイッチがあるとする。設定数を、ビット数に対応させて設定するようなスイッチ手段を、仕向け切り換えスイッチとして使用することもできる。上記したように、本実施例では、ロータリーディップスイッチの個数を2個として設けたときには、たとえば、以下のように設定することができる。
｛I 、II｝＝｛ＯＦＦ、ＯＦＦ｝のとき「仕向なし」
｛I 、II｝＝｛ＯＮ  、ＯＦＦ｝のとき「日本仕向」
｛I 、II｝＝｛ＯＦＦ、ＯＮ  ｝のとき「欧州仕向」
｛I 、II｝＝｛ＯＮ  、ＯＮ  ｝のとき「北米仕向」
【００２６】
請求項２に記載の発明では、｛I 、II｝＝｛ＯＦＦ、ＯＦＦ｝をデフォルトの設定とする。なお、仕向切換スイッチ２９は必ずしも設ける必要がなく、請求項４のように後述のＮＶ−ＲＡＭ７４やＨＤ７５に仕向を記憶させてもよい。また、たとえばユビキタスチップをユーザの手に触れにくい場所にセットしておき、このチップに埋め込まれた情報を読み出したりする手段で仕向け機能を付与したチップを画像形成装置の特定の場所に設置することもできる。このように、本発明では、仕向け機能を、請求項２又は３に示すようにして、好ましくは、ユーザがどの場所か特定できないか、特定できたとしても容易に変更できないように、設けることが出来る。
定着制御ユニット２８は、メインコントローラから指示されたパラメータに従って、サーミスタ２８−２で検出された温度から定着ヒータ２８−１を点灯させる。なお、上記パラメータは、仕向によって異なるものになる。
【００２７】
図１に戻り、画像形成装置の原稿読み取りから、画像の書き込みまでを説明する。
読み取りユニット５０は、原稿を載置するコンタクトガラス６と光学走査系で構成されている。
光学走査系は、露光ランプ５１、第１ミラー５２、レンズ５３、ＣＣＤイメージセンサ５４等で構成されている。
【００２８】
露光ランプ５１及び第１ミラー５２は、図示しない第１キャリッジ上に固定され、第２ミラー５５及び第３ミラー５６は、図示しない第１キャリッジ上に固定されている。
原稿を読み取るときには、光路長が変わらないように、第１キャリッジ第２キャリッジとが２対１の相対速度を機械的に操作される。この光学走査系は、図示しないスキャナ駆動モータにより駆動される。原稿画像は、ＣＣＤイメージセンサ５４によって読み取られ、電気信号に変換されて処理される。
【００２９】
書き込みユニット５７は、レーザ出力ユニット５８、結像レンズ５９およびミラー６０で構成され、レーザ出力ユニット５８の内部には、レーザ光源であるレーザダイオード及びモータによって高速で定速回転する多角形ミラー（ポリゴンミラー）が備わっている。
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００３０】
図５は、画像処理ユニット（ＩＰＵ）４９の内部構成を示すブロック図である。
露光ランプ５１から照射された光の反射を、ＣＣＤイメージセンサ５４により光電変換し、Ａ／Ｄコンバータ６１により光電変換された信号をデジタル信号に変換する。デジタル信号に変換された画像信号は、シェーディング補正６２がなされた後、画像処理部６３にてＭＴＦ補正、γ補正等がなされる。その後、印字合成部７１を介して入力した画像データを変倍回路７７に供給（入力）させるか、或いは、画像メモリコントローラ６５へ切り替えて供給するものであり、変倍回路７７を経由した画像信号は、変倍率に合せて拡大縮小され、書き込みユニット５７に送られる。
【００３１】
一方、画像メモリコントローラ６５とセレクタ６４間は、双方向に画像信号を入出力可能な構成となっている。図４等に特に明示していないが、ＩＰＵ４９には読み取りユニット５０から入力される画像データ以外にもＩ／Ｏポート６７を介して外部から供給される画像データ、例えばパーソナルコンピュータ等のデータ処理装置から入力したデータも処理できるように、複数データの入出力の選択を行なう機能を有しているものとする。
【００３２】
本発明においては、Ｉ／Ｏポート６７を介して、画像形成装置を、ネットワークと接続しており、その通信手段には、インターネットの標準プロトコルとして普及されているＴＣＰ／ＩＰ通信プロトコルなどを用いることが可能である。
また、本発明では、ネットワークの構成を持ち、ネットワークに接続された各画像形成装置の機械構成情報や動作状況、もしくはリモート出力コマンド等の制御コマンド、設定コマンドもしくは外部サーバとの画像データの送受信を図７に示すような信号処理により、行うことができる構成となっている。
【００３３】
また、画像メモリコントローラ６５等への設定や、読み取り部５０、書き込み部５７の制御を行うＣＰＵ６８及びその制御するため等のプログラムやデータを格納するＲＯＭ６９、ＲＡＭ７０、ＮＶ−ＲＡＭ７４を備えている。更にＣＰＵ６８は、メモリコントローラ６５を介して、画像メモリ６６のデータの書き込み、読み出しが行うことができる。
【００３４】
また画像メモリコントローラー６５へ送られた画像は、画像メモリコントローラ内にある画像圧縮装置によって画像データを圧縮した後に、この圧縮されたデータは、画像メモリ６６に送られる。ここで画像圧縮する理由は、１枚の原稿画像で画像メモリを大変多く使用することができるようにするためであり、場合によっては、最大画像サイズ分の２５６階調のデータをそのまま画像メモリ６６に書き込む事も可能である。
【００３５】
このような画像圧縮を行う事で、限られた画像メモリを有効に利用できる。また、一度に多くの原稿画像データを記憶することが出来るため、ソート機能として、貯えられた原稿画像イメージデータをページ順に出力する事もできる。この場合に、画像を出力する際に画像メモリ６６のデータをメモリコントローラ６５内の伸長装置で順次伸長しながら出力を行う。
このような機能は、一般に「電子ソート」と呼ばれている。また画像メモリの機能を利用して、複数枚の原稿画像を各エリアとし、全エリアを画像メモリの転写紙一枚分にし、これを各エリアに順次読み込む事も可能となる。例えば４枚の原稿画像を、画像メモリの転写紙一枚分とし、４等分されたエリアに順次書き込む事で、４枚の原稿が転写紙一枚のイメージに合成されて集約されたコピー出力を得ることが可能となる。このような機能は、一般に「集約コピー」と呼ばれている。
【００３６】
画像メモリ６６の画像は、ＣＰＵ６８からアクセス可能な構成となっている。このため画像メモリの内容を加工（変更を含む）することが可能であり、例えばこの画像メモリにメモリされたデータを用いて画像の間引き処理、画像の切り出し処理等が行える。加工には、メモリコントローラ６５のレジスタにデータを書き込む事で画像メモリの処理を行う事ができる。加工された画像は再度画像メモリに保持される。
【００３７】
画像メモリ６６は、処理を行う画像データの大きさに基づいて、複数のエリアに分割して画像データの入出力を同時に実行可能な構成をとることができる。
各分割したエリアに、画像データの入力および出力を、それぞれ並列に実行処理可能にするために、メモリコントローラとのインターフェースに、リードとライト用（読み込みと書き込み用）の二組のアドレス・データ線で接続されている。これによりエリア１に画像を入力（ライト）する間に、エリア２より画像を出力（リード）するという動作が可能になる。
【００３８】
書き込み、読み出しには、本体を用いた作像やスキャナからの画像書き込みに対し処理速度の差を吸収する為に、画像メモリを用い、このメモリに一旦記憶されて処理される。また画像記憶装置からのデータを書き込みユニット５７に送る際に、画像メモリ６６に一旦記憶し、書き込みユニット５７に送るようにすることができる。このように画像を記憶する装置の画像メモリ６６、ＨＤ７５、スキャナ画像、書き込みユニットに送る画像の入出力は、全て、メモリコントローラ６５によって、画像パスが決められる。
このように、ＣＰＵ６８が画像データの入力、出力を決めることで、ＣＰＵに接続されたメモリコントローラ６５が、画像の流れを切り替えることが可能となる。
【００３９】
ここで、図７を用いて、セレクタ６４における１ページ分の画像信号について説明する。
／ＦＧＡＴＥは、１ページ分の画像データの副走査方向の有効期間を表している。／ＬＳＹＮＣは、１ライン毎の主走査同期信号であり、この信号が立ち上がった後の所定クロックによって、画像信号が有効となる。主走査方向の画像信号が有効であることを示す信号が、／ＬＧＡＴＥである。これらの信号は、画素クロックＶＣＬＫに同期しており、ＶＣＬＫの１周期に対し、１画素８ビット（２8 ＝２５６階調）のデータが送られてくる。本実施例では、転写紙への書込密度４００ｄｐｉ、最大画素数は、主走査４８００画素、副走査６８００画素として説明している。また本実施例では、画像データは２５５に近いほど白画像になるとする。
なお、印字機能は図５に示すように、たとえば、画像メモリ６６の後段で行ない（印字合成部７１）、転写紙毎に印字を付加するようにしている。
【００４０】
図６に示したように、コピーアプリ、コピーサーバアプリ、スキャナアプリ、プリンタアプリ（アプリは、アプリケーションの略を意味する）は、同列で起動させ、それぞれのアプリは、独立した動作をするものとする。
共有資源である操作部、周辺機、画像形成装置、画像読み取り装置およびメモリは、システムコントローラにより調停される。各アプリは、操作部が提供する仮想画面にそれぞれの操作画面情報を書き込むことが可能である。操作部は、システムコントローラから指示される操作部オーナーアプリの仮想画面の画面情報を実画面に展開する。
【００４１】
図８に、電源オン時のフローを示す。
まず、仕向切換スイッチ２７、ＮＶ−ＲＡＭ７４またはＨＤ７５等に記憶されている仕向設定が、「仕向なし」か、否かを調べる（ステップＳ８−１）。
「仕向なし」の場合には、図９の仕向地異常画面を、液晶タッチパネル３１に表示させ（ステップＳ８−２）、画像形成装置の使用を禁止する（ステップＳ８−３）。また前記ステップＳ８−１で、「仕向なし」でない場合（ステップＳ８−１で、Ｎｏの場合）には、画像形成装置の使用を有効にする（ステップＳ８−４）。
【産業上の利用可能性】
【００４２】
本発明は、仕向け地をなしと設定できるような、電源仕様、変倍仕様、用紙サイズ仕様、言語等の相違に基づいて、ハードウェアおよびまたはソフトウェアを仕向け地に合わせた設定可能とする複写機（デジタル複写機を含む）、プリンタ（デジタルＰＰＣを含む）を含む複合機等に応用可能である。
【図面の簡単な説明】
【００４３】
【図１】本発明の画像形成装置の概略図である。
【図２】本発明の画像形成装置に使用された操作部の一例を示す図である。
【図３】本発明の画像形成装置に使用された表示部（液晶タッチパネル）の一例を示す図である。
【図４】本発明の画像形成装置に使用された制御装置の一例を示す図であり、メインコントローラを中心に示した図である。
【図５】本発明の画像形成装置に使用される印字部の印字機能の一例を示す図である。
【図６】本発明の画像形成装置をデジタルＰＰＣに適用した一例を示す図である。
【図７】ネットワークに接続された各画像形成装置の機械構成情報、動作状況、もしくはリモート出力コマンド等の制御コマンド、設定コマンドもしくは外部サーバとの画像データの送受信の信号処理を示す図である。
【図８】本発明の画像形成装置の電源オン時のフローを示すフローチャートである。
【図９】図８のステップＳ８−２の仕向け異常（仕向け地の設定をしないと設定した場合）の表示例を示す図である。
【符号の説明】
【００４４】
１    自動原稿送り装置（ＡＤＦ）
２    原稿台
３    給送ローラ
４    給送ベルト
５    排送ローラ
６    コンタクトガラス
７    原稿セット検知部
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
１９    排紙トレイ
２０    メインコントローラ
２１    中間クラッチ
２２    第１給紙クラッチ
２３    第２給紙クラッチ
２４    第３給紙クラッチ
２５    メインモータ
２６    搬送モータ
２７    原稿セット検知部
２８    定着制御ユニット
２８−１    ヒータ
２８−２    サーミスタ（温度センサ）
３０    操作部
３１    ディスプレイ（液晶ディスプレイ）
３２〜３９    入力キー
４０    表示部
５０    読み取りユニット
５１    露光ランプ
５２    第１ミラー
５３    レンズ
５４    ＣＣＤイメージセンサ
５５    第２ミラー
５６    第３ミラー
５７    書き込みユニット
５８    レーザ出力ユニット
５９    結像レンズ
６０    ミラー
６１    Ａ／Ｄコンバータ
６２    シェーディング補正部
６３    ＭＴＦ・γ補正部
６４    セレクタ
６５    メモリコントローラ
６６    画像メモリー
６７    Ｉ／Ｏポート
６８    ＣＰＵ（ＭＰＵ）
６９    ＲＯＭ
７０    ＲＡＭ
７１    印字合成部
７４    ＮＶ−ＲＡＭ
７５    ＨＤ（ハードディスク）
７６    印字イメージデータ発生装置（印字ユニット）
７７    変倍回路
１００    フィニッシャー
１０１    分岐偏向板
１０２    排紙搬送ローラ
１０３    排紙搬送ローラ
１０４    排紙トレイ
１０５    ステープラ搬送ローラ
１０６    ステープラ
１０７    ステープラ搬送ローラ
１０８    ステープル・トレイ
１０９    ジョガー（jogger）
１１０    ステープル完了排紙トレイ
１１１    両面搬送ユニット
１１２    反転ユニット
１１３    両面入紙搬送路
１１４    反転排紙搬送路
【図１】
2005173337.tif 000003
【図２】
2005173337.tif 000004
【図３】
2005173337.tif 000005
【図４】
2005173337.tif 000006
【図５】
2005173337.tif 000007
【図６】
2005173337.tif 000008
【図７】
2005173337.tif 000009
【図８】
2005173337.tif 000010
【図９】
2005173337.tif 000011